(57)【要約】      （修正有）【課題】  端子挿入作業性を向上させるとともに、圧接端子、圧着端子及び電線の十分な保持力を確保する。【解決手段】  合体コネクタ１０は、重ね合わせられた上段コネクタハウジング２０及び下段コネクタハウジング３０のキャビティ部２０ａ，３０ａに、圧接端子５０を挿入されるとともに、圧接端子５０に電線５１を圧接接続され、更にカバー４０を被せられて各コネクタハウジング２０，３０及びカバー４０を一体化された一次係止状態で、各コネクタハウジング２０，３０間と上段コネクタハウジング２０及びカバー４０間とに、圧着端子挿入用のスペース１１を形成される。また合体コネクタ１０は、圧着端子挿入用のスペース１１への圧着端子５２の挿入後に、上下方向から押圧されることにより、スペース１１内に上段コネクタハウジング２０及びカバー４０を進出されるとともに、各コネクタハウジング２０，３０及びカバー４０を係止され、二次係止状態とされる。【選択図】        図１０
2006190496.tif 000002
【特許請求の範囲】
【請求項１】
多段に重ね合わせ可能な複数のコネクタハウジングと、重ね合わせられた各コネクタハウジングの最上部を覆うように、コネクタハウジングに係止されるカバーとを備え、各コネクタハウジングには、圧接端子及び圧着端子を挿入される合体コネクタであって、
圧接端子を挿入されるとともに、挿入された圧接端子に電線を圧接接続された各コネクタハウジングと、カバーとを一体化させた一次係止状態で、各コネクタハウジング間と上段のコネクタハウジング及びカバー間とにスペースが形成され、一次係止状態で圧着端子挿入可能であり、
かつ、該圧着端子の挿入後に外方から押圧されることにより、前記スペース内に上段のコネクタハウジング及びカバーが進出され、各コネクタハウジング及びカバーが係止されて二次係止状態とされることを特徴とする合体コネクタ。
【請求項２】
前記カバーの側端部には、一次係止用のカバー第１突起と、二次係止用のカバー第２突起とが設けられるとともに、
前記上段のコネクタハウジングの側端部には、二次係止用の上段ハウジング突起とが設けられ、
更に前記下段のコネクタハウジングの側端部には、一次係止時に前記カバー第１突起を係止するとともに、二次係止時に前記カバー第２突起を係止する下段ハウジング第１凹部と、二次係止時に前記カバー第１突起及び前記上段ハウジング突起を係止する下段ハウジング第２凹部とが設けられることを特徴とする請求項１記載の合体コネクタ。
【請求項３】
前記カバーには、ロックアームを有する中央部と、該中央部の両側にそれぞれ配置されたカバー部との間に、可撓性を有する可撓偏位部が設けられており、該可撓偏位部は、一次係止状態から二次係止状態への変位時、中央部と各カバー部との変位量の違いを撓みにより吸収することを特徴とする請求項１又は２記載の合体コネクタ。
【請求項４】
前記カバーの下面には、圧着端子の加締部後方又は圧接端子の圧接刃後方に対応する位置に、カバー第２突部が設けられ、
前記上段のコネクタハウジング下面には、圧着端子の加締部後方又は圧接端子の圧接刃後方に対応する位置に、上段ハウジング第２突部が設けられており、
前記カバー及び前記上段のコネクタハウジングが、二次係止に伴って変位されることにより、前記カバー第２突部及び前記上段ハウジング第２突部が、圧着端子又は圧接端子に接続された電線を押圧して圧縮させることを特徴とする請求項１，２又は３記載の合体コネクタ。
【請求項５】
前記カバーの下面には、圧接端子の接続部後方に対応する位置に、カバー第２突部が設けられ、
前記上段のコネクタハウジング下面には、該圧接端子の圧接刃後方に対応する位置に、上段ハウジング第２突部が設けられており、
前記カバー及び前記上段のコネクタハウジングの一次係止時に、前記カバー第２突部及び前記上段ハウジング第２突部が、圧接端子の圧接刃後方の電線を押圧して屈曲させることを特徴とする請求項１〜４のいずれかに記載の合体コネクタ。
【請求項６】
前記上段のコネクタハウジングに挿入された圧着端子又は圧接端子の接続部後方に対応する位置に、カバー第１突部が設けられるとともに、前記下段のコネクタハウジングに挿入された圧接端子又は圧着端子の接続部後方に対応する位置に、上段ハウジング第１突部が設けられていることを特徴とする請求項１〜５のいずれかに記載の合体コネクタ。
【請求項７】
前記各コネクタハウジング及びカバーの一次係止時、各コネクタハウジング間とコネクタハウジング及びカバー間とに形成される圧着端子挿入用のスペース内に、スペーサ治具に設けられた複数のスペーサを、コネクタハウジング前方より一括挿入させた状態で、各コネクタハウジング及びカバーを一次係止させることを特徴とする合体コネクタの組付方法。
【発明の詳細な説明】
【技術分野】
【０００１】
本発明は、各コネクタハウジングに圧接端子及び圧着端子の両方を挿入されるとともに、各コネクタハウジング及びカバーを重ね合わせで一体化される合体コネクタに関する。
【背景技術】
【０００２】
従来から合体コネクタは知られている（例えば、特許文献１、特許文献２参照）。図２７は、特許文献１で開示されている合体コネクタを示す分解斜視図であり、図２８は、図２７の合体コネクタの合体状態を示す斜視図である。
【０００３】
図２７及び図２８に示すように、合体コネクタ１００は、上側コネクタハウジング１０１及び下側コネクタハウジング１０２に、端子１０３を組み付けられるとともに、各端子１０３に電線１０４を圧接接続された後、積み重ねられた状態で、上部カバー１０５とともに一体化されてなる。
【０００４】
すなわち、上側コネクタハウジング１０１及び下側コネクタハウジング１０２は、積み重ねられた状態で、上側コネクタハウジング１０１の下面に設けられた結合フックを、下側コネクタハウジング１０２のランスホール１０６に挿入・係止されるとともに、各コネクタハウジング１０１，１０２に設けられた外向きフック１０７及び内向きフック１０８を相互に係合され、更に上部カバー１０５に設けられた外向きフック１１０を、上側コネクタハウジング１０１に設けられた内向きフック１０８に係合されることにより、一体化される。
【０００５】
図２９は、特許文献２で開示されている合体式コネクタである圧接コネクタを示す分解斜視図である。
【０００６】
図２９に示すように、合体式コネクタである圧接コネクタ２００は、上中下段の各ハウジング２０１，２０２，２０３及び一対のカバー２０４で構成されており、各ハウジング２０１，２０２，２０３を積層された状態で、各ハウジング２０１，２０２，２０３の外壁面に設けられた係合凹部２０５及び係合凸部２０６を係合されることにより合体される。
【０００７】
上段のハウジング２０１には、中央部に基板部２０７が設けられるとともに、基板部２０７には、ロッキングアーム２０８が片持ち状に設けられる。ロッキングアーム２０８両側の端子収容室２０９は、各カバー２０４により後部開放面を覆われる。各カバー２０４はそれぞれ、係合凸部２０６を端子収容室２０９の前部上面に係止されるとともに、係合部２１０を上段のハウジング２０１に設けられたツメ２１１に係合されることにより、上段のハウジング２０１に固定される。
【特許文献１】特開平１０−６９９３６号公報（第３〜４頁、第１０図及び第１１図）
【特許文献２】実用新案登録第２５１８９６８号公報（第２〜３頁、第１図）
【発明の開示】
【発明が解決しようとする課題】
【０００８】
しかしながら、上述した特許文献１で開示されている図２７及び図２８に示す従来の合体コネクタ１００では、各コネクタハウジング１０１，１０２及び上部カバー１０５の合体後に、端子１０３を挿入することはできない。このため、後工程における端子挿入作業等の作業性が損なわれるという問題があった。
すなわち、後工程での端子挿入作業時には、図２８に示すように合体させた各コネクタハウジング１０１，１０２及び上部カバー１０５の係止を外して図２７に示す状態に一旦戻し、端子挿入作業後に再び合体させる必要があり、作業工数増大を招く。
【０００９】
また、後工程での端子挿入作業時、図２７に示す状態に一旦戻された合体コネクタ１００は、各コネクタハウジング１０１，１０２に端子１０３を組み付けられるとともに、各端子１０３に電線１０４を圧接接続されるが、その状態での取り回しには、電線１０４の圧接部上方を保護するための竿クランプ等の保護部品が必要であり、部品点数の増加を招く。また、コネクタハウジング１０１，１０２及び上部カバー１０５の二次係止状態では、電線１０４の接続部分に外力による負荷が直接かかってしまい、電気的接触に悪影響を与えるという問題があった。
【００１０】
更に、合体コネクタ１００の各コネクタハウジング１０１，１０２及び上部カバー１０５は、図２７に示す合体していない状態又は図２８に示す合体状態にしか保持することができない。このため、例えばコネクタ合体前の保管時には、部品点数増が避けられないという問題もあった。
【００１１】
特許文献２で開示されている図２９に示す従来の圧接コネクタ２００では、一対のカバー２０４がそれぞれ、ロッキングアーム２０８両側の端子収容室２０９を覆うように、上段のハウジング２０１に固定されており、カバー２０４として、ロッキングアーム２０８を挟んで２部品を必要としている。
すなわち、コネクタ合体に伴う変位量が、コネクタハウジング２０１，２０２，２０３におけるロッキングアーム２０８部分と端子収容室２０９部分とでは異なるため、圧接コネクタ２００中央部の低背化を図るには、ロッキングアーム２０８部分と各端子収容室２０９部分とで、カバーとなる部材２０４を別にする必要があった。したがって、部品点数及び組付工数の増大を招くという問題があった。
【００１２】
本発明は、上記事情に鑑みてなされたものであり、圧着端子を、コネクタハウジング及びカバーの一次係止後に挿入することができ、後工程における端子挿入作業性を向上させることができるとともに、圧接端子、圧着端子及び電線の十分な保持力を確保することができる合体コネクタ及び合体コネクタの組付方法を提供することを目的とする。
【課題を解決するための手段】
【００１３】
１）本発明の合体コネクタは、多段に重ね合わせ可能な複数のコネクタハウジングと、重ね合わせられた各コネクタハウジングの最上部を覆うように、コネクタハウジングに係止されるカバーとを備え、各コネクタハウジングには、圧接端子及び圧着端子を挿入される合体コネクタであって、圧接端子を挿入されるとともに、挿入された圧接端子に電線を圧接接続された各コネクタハウジングと、カバーとを一体化させた一次係止状態で、各コネクタハウジング間と上段のコネクタハウジング及びカバー間とに、圧着端子挿入用のスペースが形成され、かつ該圧着端子挿入用のスペースへの圧着端子の挿入後に外方から押圧されることにより、前記スペース内に上段のコネクタハウジング及びカバーが進出され、各コネクタハウジング及びカバーが係止されて二次係止状態とされることを特徴とする。
【００１４】
前記合体コネクタでは、圧接端子を挿入されるとともに、挿入された圧接端子に電線を圧接接続された各コネクタハウジングと、カバーとを一体化させた一次係止状態で、各コネクタハウジング間と上段のコネクタハウジング及びカバー間とに、圧着端子挿入用のスペースが形成されることにより、圧着端子を、コネクタハウジング及びカバーの一次係止後に挿入することができ、後工程における端子挿入作業性が優れた合体コネクタが得られる。
また、圧着端子挿入用のスペースへの圧着端子の挿入後に外方から押圧されることにより、前記スペース内に上段のコネクタハウジング及びカバーが進出され、各コネクタハウジング及びカバーが係止されて二次係止状態とされるので、圧接端子、圧着端子及び電線を確実に保持可能な合体コネクタが得られる。
【００１５】
２）本発明の合体コネクタは、前記１）記載の合体コネクタにおいて、カバーの側端部には、一次係止用のカバー第１突起と、二次係止用のカバー第２突起とが設けられるとともに、上段のコネクタハウジングの側端部には、二次係止用の上段ハウジング突起とが設けられ、更に下段のコネクタハウジングの側端部には、一次係止時に前記カバー第１突起を係止するとともに、二次係止時に前記カバー第２突起を係止する下段ハウジング第１凹部と、二次係止時に前記カバー第１突起及び前記上段ハウジング突起を係止する下段ハウジング第２凹部とが設けられることを特徴とする。
【００１６】
前記合体コネクタでは、一次係止状態では、カバーのカバー第１突起が、下段コネクタハウジングの下段ハウジング第１凹部に係止されるとともに、また二次係止状態では、カバーのカバー第２突起が、下段コネクタハウジングの下段ハウジング第１凹部に係止されるとともに、カバーのカバー第１突起及び上段コネクタハウジングの上段ハウジング突起が、下段コネクタハウジングの下段ハウジング第２凹部に係止されることにより、各コネクタハウジング及びカバーが、一次係止状態又は二次係止状態に容易かつ確実に保持され、かつ、コネクタハウジング又はカバーの一部分のみが二次係止状態になることがなく、一次係止状態と二次係止状態の中間状態では係止部分に変形が生じるので、係止状態が目視にて容易に確認可能な合体コネクタが得られる。
【００１７】
３）本発明の合体コネクタは、前記１）又は２）記載の合体コネクタにおいて、カバーには、ロックアームを有する中央部と、該中央部の両側にそれぞれ配置されたカバー部との間に、可撓性を有する可撓偏位部が設けられており、該可撓偏位部は、一次係止状態から二次係止状態への変位時、中央部と各カバー部との変位量の違いを撓みにより吸収することを特徴とする。
【００１８】
前記合体コネクタでは、カバーの可撓偏位部が、一次係止状態から二次係止状態への変位時、中央部と各カバー部との変位量の違いを撓みにより吸収することにより、カバーとコネクタハウジングとの隙間寸法を他の部分と同様にすることができ、中央部のみ隙間寸法が大きくなるのを防いで、端子の挿入作業及び一次係止時の端子の保持力を損うことがない合体コネクタが得られる。
【００１９】
４）本発明の合体コネクタは、前記１）、２）又は３）記載の合体コネクタにおいて、カバーの下面には、圧着端子の加締部後方又は圧接端子の圧接刃後方に対応する位置に、カバー第２突部が設けられ、上段のコネクタハウジング下面には、圧着端子の加締部後方又は圧接端子の圧接刃後方に対応する位置に、上段ハウジング第２突部が設けられており、カバー及び上段のコネクタハウジングが、二次係止に伴って変位されることにより、前記カバー第２突部及び前記上段ハウジング第２突部が、圧着端子又は圧接端子に接続された電線を押圧して圧縮させることを特徴とする。
【００２０】
前記合体コネクタでは、二次係止に伴うカバー及び上段のコネクタハウジングの変位により、カバー第２突部及び上段ハウジング第２突部が、圧着端子の加締部後方又は圧接端子の圧接刃後方の電線を押圧して圧縮させることにより、二次係止状態での各端子及び電線とコネクタハウジングとの保持性が優れた合体コネクタが得られる。
【００２１】
５）本発明の合体コネクタは、前記１）〜４）のいずれかに記載の合体コネクタにおいて、前記カバーの下面には、圧接端子の接続部後方に対応する位置に、カバー第２突部が設けられ、前記上段のコネクタハウジング下面には、該圧接端子の圧接刃後方に対応する位置に、上段ハウジング第２突部が設けられており、前記カバー及び前記上段のコネクタハウジングの一次係止時に、前記カバー第２突部及び前記上段ハウジング第２突部が、圧接端子の圧接刃後方の電線を押圧して屈曲させることを特徴とする。
【００２２】
前記合体コネクタでは、一次係止時にカバー第２突部及び上段ハウジング第２突部が、圧接端子の圧接刃後方の電線を押圧して屈曲させることにより、端子・電線の後方への抜けが防止され、圧接端子接続部への負荷が軽減される。
【００２３】
６）本発明の合体コネクタは、前記１）〜前記５）のいずれかに記載の合体コネクタにおいて、前記上段のコネクタハウジングに挿入された圧着端子又は圧接端子の接続部後方に対応する位置に、カバー第１突部が設けられるとともに、前記下段のコネクタハウジングに挿入された圧接端子又は圧着端子の接続部後方に対応する位置に、上段ハウジング第１突部が設けられていることを特徴とする。
【００２４】
前記合体コネクタでは、二次係止に伴うカバー及び上段のコネクタハウジングの変位により、カバー第１突部及び上段ハウジング第１突部が、圧着端子又は圧接端子の接続部後方のスペース内に進出されて係止されるので、圧接端子又は圧着端子を確実に保持可能な合体コネクタが得られる。
【００２５】
７）本発明の合体コネクタの組付方法は、各コネクタハウジング及びカバーの一次係止時、各コネクタハウジング間とコネクタハウジング及びカバー間とに形成される圧着端子挿入用のスペース内に、スペーサ治具に設けられた複数のスペーサを、コネクタハウジング前方より一括挿入させた状態で、各コネクタハウジング及びカバーを一次係止させることを特徴とする。
【００２６】
この合体コネクタの組付方法では、圧着端子挿入用のスペース内に、スペーサ治具に設けられた複数のスペーサを、コネクタハウジング前方より一括挿入させた状態で、各コネクタハウジング及びカバーを一次係止させることにより、各コネクタハウジング及びカバーの一次係止時に、圧着端子挿入用のスペースが容易かつ確実に確保され、各コネクタハウジング及びカバーの一次係止の作業性が優れた合体コネクタの組付方法が得られる。
【発明の効果】
【００２７】
本発明の合体コネクタによれば、圧着端子を、コネクタハウジング及びカバーの一次係止後に挿入することができ、後工程における端子挿入作業性を向上させることができるとともに、圧接端子、圧着端子及び電線の十分な保持力を確保することができる。
【発明を実施するための最良の形態】
【００２８】
以下、本発明の合体コネクタの実施形態を図１〜図２６に基づいて説明する。
【００２９】
図１は、本発明の一実施形態である合体コネクタの合体前の状態を示す分解斜視図であり、図２は、図１の合体コネクタのキャビティ部への圧接端子挿入前の状態を示す分解斜視図、図３は、図１の合体コネクタのキャビティ部に挿入された圧接端子への電線圧接前の状態を示す斜視図、図４は、図１の合体コネクタのキャビティ部に挿入された圧接端子への電線圧接完了状態を示す斜視図、図５は、図１の合体コネクタの各コネクタハウジング及びカバーを一次係止させた状態を示す斜視図、図６は、図５の一次係止状態の合体コネクタへの圧着端子挿入前の状態を示す斜視図、図７は、図６の合体コネクタへの圧着端子挿入完了状態を示す斜視図、図８は、図７の合体コネクタを上下方向から押圧して二次係止させた状態を示す斜視図である。
【００３０】
図９は、本実施形態の合体コネクタを示す要部断面図であり、（ａ）は一次係止状態を、（ｂ）は二次係止状態をそれぞれ示す。図１０は、図９の合体コネクタの要部斜視図であり、（ａ）は一次係止状態を、（ｂ）は二次係止状態をそれぞれ示す。図１１は、図９の合体コネクタのカバーを示す要部斜視図であり、（ａ）は一次係止状態を、（ｂ）は二次係止状態をそれぞれ示す。図１２は、図９の合体コネクタの要部断面図であり、（ａ）は一次係止状態を、（ｂ）は二次係止状態をそれぞれ示す。図１３は、合体コネクタの一次係止状態の縦断面を見せた斜視図であり、図１４は、図１３の合体コネクタのＡ―Ａ断面を見せた斜視図、図１５は、図１３の合体コネクタのＢ―Ｂ断面を見せた斜視図、図１６は、合体コネクタの二次係止状態の縦断面を見せた斜視図、図１７は、図１６の合体コネクタのＣ―Ｃ断面を見せた斜視図、図１８は、図１６の合体コネクタのＤ―Ｄ断面を見せた斜視図である。
【００３１】
図１９は、図１の合体コネクタの切り離し前のコネクタハウジングを示す斜視図であり、図２０は、図１９のコネクタハウジングの裏面側を示す斜視図である。また図２１は、図１の合体コネクタのカバーを示す斜視図であり、図２２は、図２１のカバーの裏面側を示す斜視図である。図２３は、本実施形態の合体コネクタを示す要部断面図であり、（ａ）は一次係止状態を、（ｂ）は二次係止状態をそれぞれ示す。図２４は、圧接接続がない合体コネクタの一次係止状態を示す斜視図、図２５は、合体コネクタ及び合体コネクタの一次係止時に使用されるスペーサ治具を示す斜視図、図２６は、図２５の側面図である。
【００３２】
図１〜図２２を参照すると、合体コネクタ１０は、多段に重ね合わせ可能な複数（本実施例では上下２段）のコネクタハウジング２０，３０と、重ね合わせられた上段コネクタハウジング２０及び下段コネクタハウジング３０の最上部を覆うように、上段コネクタハウジング２０に係止されるカバー４０とを備える。各コネクタハウジング２０，３０のキャビティ部２０ａ，３０ａには、圧接端子５０及び電線５１に接続された圧着端子５２が挿入されるとともに、圧接端子５０には電線５１が圧接接続される。
【００３３】
すなわち、合体コネクタ１０において、上段コネクタハウジング２０は、図１に示すように、合体コネクタ１０の組み立て前、下段コネクタハウジング３０の両側にそれぞれヒンジ部１２（図２０参照）を介して、キャビティ部２個分のクリアランスを以って連結されている。上段コネクタハウジング２０及び下段コネクタハウジング３０はそれぞれ、図２に示すように、連結状態のまま、キャビティ部２０ａ，３０ａに後方から圧接端子５０を挿入されるとともに、図３に示すように、上方から電線５１を圧接接続される。
【００３４】
この状態で、図４に示すように、ヒンジ部１２が切断され、図５に示すように、上段コネクタハウジング２０が、下段コネクタハウジング３０の上面に重ね合わせられるとともに、カバー４０が、上段コネクタハウジング２０の上面に重ね合わせられ、一次係止される。そして、上段コネクタハウジング２０及び下段コネクタハウジング３０はそれぞれ、図６及び図７に示すように、キャビティ部２０ａ，３０ａに後方から電線５１に接続された圧着端子５２を挿入された後、上下方向から押圧されることにより、図８に示すような二次係止状態とされる。
【００３５】
合体コネクタ１０は、図５〜図７、図９（ａ）、図１０（ａ）、図１１（ａ）、図１２（ａ）、図１３〜図１５に示すように、キャビティ部２０ａ，３０ａに圧接端子５０を挿入されるとともに、圧接端子５０に電線５１を圧接接続された各コネクタハウジング２０，３０と、カバー４０とを一体化された一次係止状態で、各コネクタハウジング２０，３０間と上段コネクタハウジング２０及びカバー４０間とに、圧着端子挿入用のスペース１１を形成される。この圧着端子挿入用のスペース１１により、端子係止ランス１４を圧着端子が挿入可能な状態に撓ませることができる。
【００３６】
また、合体コネクタ１０は、コネクタハウジング２０への圧着端子５２の挿入後（図７に示す状態）に、図９中の上下方向から押圧されることにより、図８、図９（ｂ）、図１０（ｂ）、図１１（ｂ）、図１２（ｂ）、図１６〜図１８に示すように、スペース１１内に上段コネクタハウジング２０及びカバー４０を進出させ、端子係止ランスの撓みを防止する。そして、各コネクタハウジング２０，３０及びカバー４０を係止されることにより、二次係止状態となる（図９（ａ）→図９（ｂ）、図１０（ａ）→図１０（ｂ）、図１１（ａ）→図１１（ｂ）、図１２（ａ）→図１２（ｂ））。これにより、合体コネクタ１０は、圧接端子５０、圧着端子５２及び各端子５０，５２に接続された電線５１を保持する。
【００３７】
すなわち、合体コネクタ１０において、カバー４０の側端部には、図１０及び図１３〜図１８に示すように、一次係止用のカバー第１突起４１と、二次係止用のカバー第２突起４２と、切欠孔４３とが設けられる。
また、上段コネクタハウジング２０の側端部には、カバー４０の切欠孔４３から突出される一次係止用の上段ハウジング第１突起２１と、二次係止用の上段ハウジング第２突起２２とが設けられる。
更に、下段コネクタハウジング３０の側端部には、一次係止時にカバー第１突起４１を係止するとともに、二次係止時にカバー第２突起４２を係止する下段ハウジング第１凹部３１と、二次係止時にカバー第１突起４１及び上段ハウジング第２突起２２を係止する下段ハウジング第２凹部３２とが設けられる。
【００３８】
図１０（ａ）、図１４及び図１５に示すように、合体コネクタ１０の一次係止状態では、カバー４０のカバー第１突起４１が、下段コネクタハウジング３０の下段ハウジング第１凹部３１に係止されるとともに、上段コネクタハウジング２０の上段ハウジング第１突起２１が、カバー４０の切欠孔４３から突出される。これにより、各コネクタハウジング２０，３０及びカバー４０が、一次係止状態に確実に保持される。
【００３９】
また、図１０（ｂ）、図１７及び図１８に示すように、合体コネクタ１０の二次係止状態では、カバー４０のカバー第２突起４２が、下段コネクタハウジング３０の下段ハウジング第１凹部３１に係止されるとともに、カバー４０のカバー第１突起４１及び上段コネクタハウジング２０の上段ハウジング第２突起２２が、下段コネクタハウジング３０の下段ハウジング第２凹部３２に係止される。これにより、各コネクタハウジング２０，３０及びカバー４０が、二次係止状態に確実に保持される。
【００４０】
これら第１係止状態及び第２係止状態では、コネクタハウジング又はカバーの一部分のみが二次係止状態になることがなく、一次係止状態と二次係止状態の中間状態では係止部分に変形が生じるので、合体コネクタ１０の外観上から目視にて確認可能である。すなわち、図５〜図７及び図１０（ａ）に示す一次係止状態と、図８及び図１０（ｂ）に示す二次係止状態とは、目視にて識別され、いずれの係止状態であるかが容易に確認可能である。
【００４１】
また、カバー４０には、図１、図１１、図２１及び図２２に示すように、ロックアーム４４ａを有する中央部４４と、中央部４４の両側にそれぞれ配置されたカバー部４５との間に、可撓性を有する可撓偏位部４６が設けられる。可撓偏位部４６は、合体コネクタ１０の一次係止状態から二次係止状態への変位時におけるカバー４０の中央部４４と各カバー部４５との変位量の違いを、図１１（ａ）に示す一次係止状態から図１１（ｂ）に示す二次係止状態への撓みにより吸収する。これにより、カバーとコネクタハウジングとの隙間寸法を他の部分と同様にすることができ、中央部のみ隙間寸法が大きくなるのを防いで、端子の挿入作業及び一次係止時の端子の保持力を損うことがない。
【００４２】
図１２を参照すると、カバー４０の下面には、上段コネクタハウジング２０のキャビティ部２０ａに挿入された圧着端子５２の接続部５２ａ後端に対応する位置に、カバー第１突部４７が設けられるとともに、当該圧着端子５２の加締部５２ｂの後方に対応する位置に、カバー第２突部４８が設けられる。
また、上段コネクタハウジング２０の下面には、下段コネクタハウジング３０のキャビティ部３０ａに挿入された圧接端子５０の接続部５０ａ後端に対応する位置に、上段ハウジング第１突部２３が設けられるとともに、当該圧接端子５０の圧接刃５０ｂ後方に対応する位置に、上段ハウジング第２突部２４が設けられる。
【００４３】
一次係止状態において、上段ハウジング第２突部２４が、圧接端子５０の圧接刃５０ｂ後端の電線５１を、図１２中の下方に押圧して屈曲させる。また、上段ハウジング第１突部２３が圧接刃５０ｂ前方の電線５１を図１２中の下方に押圧して屈曲させるので、圧接端子５０の接続部５０ａへの負荷が軽減され、電線５１から伝わる外力が直接圧接端子５０に加わることはない（図１２（ｂ）中の楕円内参照）。
また、カバー４０及び上段コネクタハウジング２０が、二次係止に伴って変位される（図１２（ａ）に示す状態→図１２（ｂ）に示す状態）ことにより、カバー第２突部４８が、圧着端子５２に接続された電線５１を押圧する。したがって、電線５１が各コネクタハウジング２０，３０に確実に保持され、各端子５０，５２と電線５１との接続部分に外力による負荷が直接かかることが防止される。
【００４４】
なお、上記実施形態において、図２３（ａ）に示す一次係止状態では、各コネクタハウジング２０，３０間には圧着端子挿入用スペース１１（図２３（ａ）中の楕円内参照）があってランス３３が変位可能な状態である。
一方、図２３（ｂ）に示す二次係止状態では、各コネクタハウジング２０，３０間にスペースがなくなるので、ランス３３が変位不能となり、ランス３３の撓みによる外れが生じない（ランス３３解除不能）。したがって、導通検査時にランスホール（図２３（ｂ）中の楕円内参照）から検査ピン等を挿入することができる。これにより、合体コネクタ１０の小型化を図ることができる。
【００４５】
また、合体コネクタ１０に圧接接続がない場合には、図２４に示すように、圧接端子５０（図２参照）がコネクタハウジング２０，３０に挿入されることなく、各コネクタハウジング２０，３０及びカバー４０が一次係止状態とされる。
【００４６】
次に、合体コネクタ１０の組付方法について、図２５及び図２６を参照して説明する。
【００４７】
各コネクタハウジング２０，３０及びカバー４０の一次係止時には、複数のスペーサ６１を所定の間隔で突設されたスペーサ治具６０が用いられる。すなわち、図２５及び図２６に示すように、各コネクタハウジング２０，３０間とコネクタハウジング２０及びカバー４０間とに形成された圧着端子挿入用のスペース１１内に、スペーサ治具６０のスペーサ６１を、コネクタハウジング２０，３０前方より一括挿入させた状態で、各コネクタハウジング２０，３０及びカバー４０を図２６中の上下方向から押圧し、一次係止させる。
【００４８】
スペーサ治具６０の各スペーサ６１の挿入により、圧着端子挿入用のスペース１１が、容易かつ確実に確保される。これにより、各コネクタハウジング２０，３０及びカバー４０の一次係止が、良好な作業性を以って容易かつ確実に行われる。
【００４９】
以上のように上記実施形態によれば、合体コネクタ１０は、重ね合わせられた上段コネクタハウジング２０及び下段コネクタハウジング３０のキャビティ部２０ａ，３０ａに、圧接端子５０を挿入されるとともに、圧接端子５０に電線５１を圧接接続され、更にカバー４０を被せられて各コネクタハウジング２０，３０及びカバー４０を一体化された一次係止状態で、各コネクタハウジング２０，３０間と上段コネクタハウジング２０及びカバー４０間とに、圧着端子挿入用のスペース１１を形成される（図５〜図７、図９（ａ）、図１０（ａ）、図１１（ａ）、図１２（ａ）、図１３〜図１５参照）。
また、合体コネクタ１０は、圧着端子挿入用のスペース１１への圧着端子５２の挿入後に、図９中の上下方向から押圧されることにより、スペース１１内に上段コネクタハウジング２０及びカバー４０を進出され、各コネクタハウジング２０，３０及びカバー４０を係止されて二次係止状態とされる（図８、図９（ｂ）、図１０（ｂ）、図１１（ｂ）、図１２（ｂ）、図１６〜図１８参照）。
【００５０】
したがって、圧着端子５２を、各コネクタハウジング２０，３０及びカバー４０の一次係止後に挿入することができ、後工程における端子挿入作業性を向上させることができる。すなわち、例えばコネクタ合体前の保管時等には、一次係止状態とすることにより、保管時の部品点数増を回避することができる。また、後工程での端子挿入作業時には、合体させた各コネクタハウジング２０，３０及びカバー４０の係止を一旦外し、端子挿入作業後に再び合体させる等の必要がなく、作業工数削減を図ることができる。更に、スペーサ部品等を不要とすることができる。
【００５１】
各コネクタハウジング２０，３０及びカバー４０の一次係止状態では、圧接端子５０と電線５１との圧接接続部分上方を保護することができる。これにより、圧接接続部分に外力による負荷が直接かかることを防止することができるとともに、圧接接続部分保護のための竿クランプ等の保護部品を不要とすることができ、部品点数を低減することができる。
また、各コネクタハウジング２０，３０及びカバー４０の一次係止時に、圧接端子５０に接続された電線５１を屈曲させて保持することにより、一次係止状態では、端子・電線の後方への抜けが防止され、圧接端子接続部への負荷が軽減される。
【００５２】
また、カバー４０のカバー第１突起４１、上段コネクタハウジング２０の上段ハウジング第１突起２１、下段コネクタハウジング３０の下段ハウジング第１凹部３１により、各コネクタハウジング２０，３０及びカバー４０の一次係止状態が保持され、かつカバー４０のカバー第２突起４２、上段コネクタハウジング２０の上段ハウジング第２突起２２、下段コネクタハウジング３０の下段ハウジング第２凹部３２により、各コネクタハウジング２０，３０及びカバー４０の二次係止状態が保持される。
したがって、合体コネクタ１０の各コネクタハウジング２０，３０及びカバー４０を、一次係止状態又は二次係止状態に容易かつ確実に保持することができる。また、各係止状態を目視にて確認することができる。
【００５３】
更に、合体コネクタ１０の一次係止状態から二次係止状態への変位時におけるカバー４０の中央部４４と各カバー部４５との変位量の違いを、カバー４０の可撓偏位部４６の図１１（ａ）に示す状態から図１１（ｂ）に示す状態への撓みにより、吸収することができる。これにより、コネクタ中央部の低背化を図ることができ、ロック等のスペースを確保することができる。また、部品点数を削減することができるとともに、コネクタ合体用治具の構造を簡素化することができる。
【００５４】
また、カバー４０の下面には、上段コネクタハウジング２０のキャビティ部２０ａに挿入された圧着端子５２の接続部５２ａ後端に対応する位置に、カバー第１突部４７が設けられるとともに、当該圧着端子５２の加締部５２ｂの後方に対応する位置に、カバー第２突部４８が設けられている（図１２参照）。また、上段コネクタハウジング２０の下面には、下段コネクタハウジング３０のキャビティ部３０ａに挿入された圧接端子５０の接続部５０ａ後端に対応する位置に、上段ハウジング第１突部２３が設けられるとともに、当該圧接端子５０の圧接刃５０ｂ後方に対応する位置に、上段ハウジング第２突部２４が設けられている。
更に、一次係止状態において、上段ハウジング第２突部２４が、圧接端子５０の圧接刃５０ｂ後端の電線５１を、図１２中の下方に押圧して屈曲させる。また、上段ハウジング第１突部２３が圧接刃５０ｂ前方の電線５１を図１２中の下方に押圧して屈曲させるので、圧接端子５０の接続部５０ａへの負荷が軽減され、電線５１から伝わる外力が直接圧接端子５０に加わることはない（図１２（ｂ）中の楕円内参照）。
また、カバー４０及び上段コネクタハウジング２０が、二次係止に伴って変位される（図１２（ａ）に示す状態→図１２（ｂ）に示す状態）ことにより、カバー第２突部４８が、圧着端子５２に接続された電線５１を押圧する。したがって、電線５１が各コネクタハウジング２０，３０に確実に保持され、各端子５０，５２と電線５１との接続部分に外力による負荷が直接かかることが防止される。
【００５５】
したがって、各端子５０，５２及び電線５１を各コネクタハウジング２０，３０に確実に保持することができ、各端子５０，５２と電線５１との接続部分に外力による負荷が直接かかることを防止することができる。
【００５６】
本発明により得られる合体コネクタ及び合体コネクタの組付方法はそれぞれ、後工程における良好な端子挿入作業性と、圧接端子、圧着端子及び電線の十分な保持力とを要求される接続部分に好適に用いられる。
【図面の簡単な説明】
【００５７】
【図１】本発明の一実施形態である合体コネクタの合体前の状態を示す分解斜視図である。
【図２】図１の合体コネクタのキャビティ部への圧接端子挿入前の状態を示す分解斜視図である。
【図３】図１の合体コネクタのキャビティ部に挿入された圧接端子への電線圧接前の状態を示す斜視図である。
【図４】図１の合体コネクタのキャビティ部に挿入された圧接端子への電線圧接完了状態を示す斜視図である。
【図５】図１の合体コネクタの各コネクタハウジング及びカバーを一次係止させた状態を示す斜視図である。
【図６】図５の一次係止状態の合体コネクタへの圧着端子挿入前の状態を示す斜視図である。
【図７】図６の合体コネクタへの圧着端子挿入完了状態を示す斜視図である。
【図８】図７の合体コネクタを上下方向から押圧して二次係止させた状態を示す斜視図である。
【図９】本実施形態の合体コネクタを示す要部断面図である。
【図１０】図９の合体コネクタの要部斜視図である。
【図１１】図９の合体コネクタのカバーを示す要部斜視図である。
【図１２】図９の合体コネクタの要部断面図である。
【図１３】合体コネクタの一次係止状態の縦断面を見せた斜視図である。
【図１４】図１３の合体コネクタのＡ―Ａ断面を見せた斜視図である。
【図１５】図１３の合体コネクタのＢ―Ｂ断面を見せた斜視図である。
【図１６】合体コネクタの二次係止状態の縦断面を見せた斜視図である。
【図１７】図１６の合体コネクタのＣ―Ｃ断面を見せた斜視図である。
【図１８】図１６の合体コネクタのＤ―Ｄ断面を見せた斜視図である。
【図１９】図１の合体コネクタの切り離し前のコネクタハウジングを示す斜視図である。
【図２０】図１９のコネクタハウジングの裏面側を示す斜視図である。
【図２１】図１の合体コネクタのカバーを示す斜視図である。
【図２２】図２１のカバーの裏面側を示す斜視図である。
【図２３】本実施形態の合体コネクタを示す要部断面図である。
【図２４】圧接接続がない合体コネクタの一次係止状態を示す斜視図である。
【図２５】合体コネクタ及び合体コネクタの一次係止時に使用されるスペーサ治具を示す斜視図である。
【図２６】図２５の側面図である。
【図２７】特許文献１で開示されている合体コネクタを示す分解斜視図である。
【図２８】図２７の合体コネクタの合体状態を示す斜視図である。
【図２９】特許文献２で開示されている合体式コネクタである圧接コネクタを示す分解斜視図である。
【符号の説明】
【００５８】
１０  合体コネクタ
１１  圧着端子挿入用のスペース
２０  上段コネクタハウジング
２０ａ  キャビティ部
２１  一次係止用の上段ハウジング第１突起
２２  二次係止用の上段ハウジング第２突起
２３  上段ハウジング第１突部
２４  上段ハウジング第２突部
３０  下段コネクタハウジング
３０ａ  キャビティ部
３１  下段ハウジング第１凹部
３２  下段ハウジング第２凹部
３３  ランス
４０  カバー
４１  一次係止用のカバー第１突起
４２  二次係止用のカバー第２突起
４３  切欠孔
４４  中央部
４４ａ  ロックアーム
４５  カバー部
４６  可撓偏位部
４７  カバー第１突部
４８  カバー第２突部
５０  圧接端子
５０ａ  接続部
５０ｂ  圧接刃
５１  電線
５２  圧着端子
５２ａ  接続部
５２ｂ  加締部
６０  スペーサ治具
６１  スペーサ
【図１】
2006190496.tif 000003
【図２】
2006190496.tif 000004
【図３】
2006190496.tif 000005
【図４】
2006190496.tif 000006
【図５】
2006190496.tif 000007
【図６】
2006190496.tif 000008
【図７】
2006190496.tif 000009
【図８】
2006190496.tif 000010
【図９】
2006190496.tif 000011
【図１０】
2006190496.tif 000012
【図１１】
2006190496.tif 000013
【図１２】
2006190496.tif 000014
【図１３】
2006190496.tif 000015
【図１４】
2006190496.tif 000016
【図１５】
2006190496.tif 000017
【図１６】
2006190496.tif 000018
【図１７】
2006190496.tif 000019
【図１８】
2006190496.tif 000020
【図１９】
2006190496.tif 000021
【図２０】
2006190496.tif 000022
【図２１】
2006190496.tif 000023
【図２２】
2006190496.tif 000024
【図２３】
2006190496.tif 000025
【図２４】
2006190496.tif 000026
【図２５】
2006190496.tif 000027
【図２６】
2006190496.tif 000028
【図２７】
2006190496.tif 000029
【図２８】
2006190496.tif 000030
【図２９】
2006190496.tif 000031